(57)【要約】【課題】  植物生育基盤の各部に植えられている植物に対して窒素成分を均一に施肥することができ、植物が窒素成分を効果的に吸収することができる緑化装置を提供する。【解決手段】  緑化装置１は、植物４０が植えられる植物生育基盤１１と、この植物生育基盤１１に二酸化窒素ガスを送り込む二酸化窒素ガス供給手段４とを有する。また、植物生育基盤１１中の硝酸態窒素の濃度を検出する硝酸態窒素濃度センサ３２と、この硝酸態窒素濃度センサ３２の検出値に応じて植物生育基盤１１に送り込む二酸化窒素ガスの量を調整するように二酸化窒素ガス供給手段４を制御する二酸化窒素ガス制御手段３０ａを有する。【選択図】        図１
2016189742.tif 000002
【特許請求の範囲】
【請求項１】
植物が植えられる植物生育基盤と、この植物生育基盤に二酸化窒素ガスを送り込む二酸化窒素ガス供給手段とを有する緑化装置。
【請求項２】
請求項１に記載の緑化装置において、前記植物生育基盤中の硝酸態窒素の濃度を検出する硝酸態窒素濃度センサと、この硝酸態窒素濃度センサの検出値に応じて前記植物生育基盤に送り込む二酸化窒素ガスの量を調整するように前記二酸化窒素ガス供給手段を制御する二酸化窒素ガス制御手段とを有する緑化装置。
【請求項３】
請求項１または請求項２に記載の緑化装置において、前記植物生育基盤に外部の空気を送り込み、その空気を前記植物生育基盤で浄化させて、前記植物生育基盤から排出させる空気浄化経路を有し、この空気浄化経路の一部が前記二酸化窒素ガス供給手段における二酸化窒素ガスの流通経路を兼用する緑化装置。
【請求項４】
請求項３に記載の緑化装置において、前記空気浄化経路は、前記植物生育基盤の植物が植えられる面と反対側の面に沿って設けられた通気層を有する緑化装置。
【請求項５】
請求項１ないし請求項４のいずれか１項に記載の緑化装置において、前記植物生育基盤を灌水する灌水手段と、前記植物生育基盤中の水分量を検出する水分量センサと、この水分量センサの検出値に応じて灌水量を調整するように前記灌水手段を制御する灌水制御手段とを有する緑化装置。
【請求項６】
請求項１ないし請求項５のいずれか１項に記載の緑化装置において、前記植物生育基盤に外部の空気を送り込み、その空気を前記植物生育基盤で浄化させて、前記植物生育基盤から排出させる空気浄化経路を有し、前記植物生育基盤から排出される空気に含まれる二酸化窒素の濃度を検出する二酸化窒素濃度センサと、この二酸化窒素濃度センサの検出値に応じて前記植物生育基盤に送り込まれる二酸化窒素ガスの量を調整するように前記二酸化窒素ガス供給手段を制御する二酸化窒素ガス制御手段とを有する緑化装置。
【請求項７】
植物が植えられる植物生育基盤中の硝酸態窒素の濃度および水分量を測定し、硝酸態窒素の濃度が設定値未満であり、かつ水分量が設定値以上であるという条件を充足した場合に、前記植物生育基盤に二酸化窒素ガスを送り込む緑化装置における施肥方法。
【発明の詳細な説明】
【技術分野】
【０００１】
この発明は、壁面等を緑化する緑化装置および施肥方法に関し、特に施肥を効果的に行うことができる技術に関する。
【背景技術】
【０００２】
従来、次の施肥方法が実施されている。
・粒状または粉末状の化成肥料を土壌に混ぜ込む方法。
・液体肥料を灌水経路に導入する方法。
・堆肥等の有機物を土壌に混ぜ込む方法。
これらの施肥方法では、肥料の三要素である窒素、リン酸、カリウムの施肥が可能である。
【０００３】
また、植物工場等において、高濃度の二酸化炭素ガスの雰囲気下で植物を栽培することが行われている（例えば特許文献１）。この場合、植物の光合成に利用される二酸化炭素が葉面から吸収される。
【０００４】
また、空気質の改善および美観の向上を目的とした緑化装置が提案されている（例えば特許文献２）。この緑化装置は、土壌層等の植物生育基盤を備え、この植物生育基盤に空気を送り込んで、植物生育基盤を通過する過程で空気を浄化する。栽培する植物としては、例えば、葉があまり大きくならない観葉植物等が用いられる。
【先行技術文献】
【特許文献】
【０００５】
【特許文献１】特開２０１５−２７４１号公報
【特許文献２】特開２０１４−１１７２５３号公報
【発明の概要】
【発明が解決しようとする課題】
【０００６】
上記提案の緑化装置では、植物の栽培時間が長くなると、植物生育基盤の肥料成分が不足してくるため、適当なタイミングで施肥を行う必要がある。植物の場合、主に葉の生育に必要な窒素成分の施肥が必要となる。現状では、一般に灌水経路に液体肥料を導入する方式が採用されている。しかし、この施肥方法は、肥料成分の多くが植物生育基盤中に留まらず、余剰の水分と一緒に流亡する可能性が高い。また、壁面緑化装置の場合、植物生育基盤の上部に灌水した水分が順次下方へ移動するため、肥料成分の濃度が植物生育基盤の上部では低く、下部では高くなりやすい。
【０００７】
この発明の目的は、植物生育基盤の各部に植えられている植物に対して窒素成分を均一に施肥することができ、植物が窒素成分を効果的に吸収することができる緑化装置を提供することである。
この発明の他の目的は、植物生育基盤中の硝酸態窒素の濃度および水分量を常に適正に維持して、植物を良好に生育させることができる緑化装置の施肥方法を提供することである。
【課題を解決するための手段】
【０００８】
この発明の緑化装置は、植物が植えられる植物生育基盤と、この植物生育基盤に二酸化窒素ガスを送り込む二酸化窒素ガス供給手段とを有する。
【０００９】
二酸化窒素ガス供給手段によって植物生育基盤に送り込まれた二酸化窒素ガス（ＮＯ２）は、植物生育基盤に含まれる水分に溶解して亜硝酸態窒素（ＮＯ２-）となり、さらに自己酸化と植物生育基盤に棲む微生物による酸化とによって硝酸態窒素（ＮＯ３-）に変換される。この硝酸態窒素（ＮＯ３-）を植物が吸収する。
【００１０】
有機体窒素や分子状窒素（Ｎ２）の状態で窒素成分を植物生育基盤に与える場合、これらの窒素成分は、植物生育基盤でアンモニア態窒素（ＮＨ４＋）→亜硝酸態窒素（ＮＯ２-）→硝酸態窒素（ＮＯ３-）の順に変換される。この変換過程のうち、アンモニア態窒素（ＮＨ４＋）から亜硝酸態窒素（ＮＯ２-）への変換は進み難い。このため、有機体窒素や分子状窒素（Ｎ２）の状態で窒素成分を施肥しても、効果が出るまでに時間がかかるうえ、変換が進むまでの間に窒素成分が水とともに流亡してしまうことがある。
【００１１】
これに対し、二酸化窒素ガス（ＮＯ２）の状態で窒素成分を植物生育基盤に供給すると、植物が吸収可能な硝酸態窒素（ＮＯ３-）への変換が短時間に行われ、施肥の効果がすぐに現れる。また、窒素成分をガス体で供給することにより、窒素成分を植物生育基盤の各部に均等に行き渡らせることができ、施肥の均一化を図ることができる。
この緑化装置は、窒素成分をガス体で供給することに特徴があり、それによって上記特有の作用・効果が得られる。特許文献１のように、植物にとって有益なガスを葉に供給することは既に実施されているが、ガス体の肥料成分を植物の根に与えることは行われていない。
【００１２】
この発明において、前記植物生育基盤中の硝酸態窒素の濃度を検出する硝酸態窒素濃度センサと、この硝酸態窒素濃度センサの検出値に応じて前記植物生育基盤に送り込む二酸化窒素ガスの量を調整するように前記二酸化窒素ガス供給手段を制御する二酸化窒素ガス制御手段とを有するとよい。
これにより、植物生育基盤中の硝酸態窒素の濃度を適度に維持することができる。
【００１３】
この発明において、前記植物生育基盤に外部の空気を送り込み、その空気を前記植物生育基盤で浄化させて、前記植物生育基盤から排出させる空気浄化経路を有する場合、この空気浄化経路の一部を前記二酸化窒素ガス供給手段における二酸化窒素ガスの流通経路に兼用させるとよい。
空気浄化経路の一部を二酸化窒素ガスの流通経路に兼用させることで、空気のダクトと二酸化窒素ガスのダクトを完全に分ける場合と比べて、ダクトや配管を少なくできる。
【００１４】
前記空気浄化経路は、前記植物生育基盤の植物が植えられる面と反対側の面に沿って設けられた通気層を有していてもよい。
植物生育基盤の植物が植えられる面と反対側の面に沿って設けられた通気層を有すると、植物生育基盤の各部に二酸化窒素ガスを均等に送り込むことができ、植物生育基盤の各部で植物の生育条件を同じにすることができる。
【００１５】
この発明において、前記植物生育基盤を灌水する灌水手段と、前記植物生育基盤中の水分量を検出する水分量センサと、この水分量センサの検出値に応じて灌水量を調整するように前記灌水手段を制御する灌水制御手段とを有するとよい。
これにより、植物生育基盤中の水分量を適正に維持することができる。
【００１６】
この発明において、前記植物生育基盤に外部の空気を送り込み、その空気を前記植物生育基盤で浄化させて、前記植物生育基盤から排出させる空気浄化経路を有する場合、前記植物生育基盤から排出される空気に含まれる二酸化窒素の濃度を検出する二酸化窒素濃度センサと、この二酸化窒素濃度センサの検出値に応じて前記植物生育基盤に送り込まれる二酸化窒素ガスの量を調整するように前記二酸化窒素ガス供給手段を制御する二酸化窒素ガス制御手段とを有するとよい。
これにより、植物生育基盤中の二酸化窒素の濃度や、植物生育基盤から排出される空気に含まれる二酸化窒素の濃度を、植物や人体に害とならない数値以下に維持することができる。
【００１７】
この発明の緑化装置における施肥方法は、植物が植えられる植物生育基盤中の硝酸態窒素の濃度および水分量を測定し、硝酸態窒素の濃度が設定値未満であり、かつ水分量が設定値以上であるという条件を充足した場合に、前記植物生育基盤に二酸化窒素ガスを送り込む。
この施肥方法によると、植物生育基盤中の硝酸態窒素（ＮＯ３-）の濃度および水分量を常に適正に維持することができるため、植物が良好に生育する。
【発明の効果】
【００１８】
この発明の緑化装置は、植物が植えられる植物生育基盤と、この植物生育基盤に二酸化窒素ガスを送り込む二酸化窒素ガス供給手段とを有するため、植物生育基盤の各部に植えられている植物に対して窒素成分を均一に施肥することができ、植物が窒素成分を効果的に吸収することができる。
【００１９】
この発明の緑化装置の施肥方法は、植物が植えられる植物生育基盤中の硝酸態窒素の濃度および水分量を測定し、硝酸態窒素の濃度が設定値未満であり、かつ水分量が設定値以上であるという条件を充足した場合に、前記植物生育基盤に二酸化窒素ガスを送り込むため、植物生育基盤中の硝酸態窒素の濃度および水分量を常に適正に維持して、植物を良好に生育させることができる
【図面の簡単な説明】
【００２０】
【図１】この発明の一実施形態にかかる緑化装置の緑化装置本体等の縦断面図に制御系等を示すブロック図を組み合わせて表した図である。
【図２】同制御系の制御装置が運転時に行う制御のフローチャートである。
【図３】この発明の緑化装置の植物生育基盤における窒素成分の変換のメカニズムを示す図である。
【図４】従来の一般的な施肥方法における窒素成分の変換のメカニズムを示す図である。
【発明を実施するための形態】
【００２１】
この発明の一実施形態を図面と共に説明する。
この実施形態の緑化装置１は、壁面等に設置され壁面を緑化すると共に空気を浄化する壁面緑化空気浄化装置である。緑化に用いられる植物４０は、例えば、葉があまり大きくならない観葉植物等である。図１に示すように、緑化装置１は、壁パネル状の緑化装置本体１ａと、灌水手段２と、送風手段３と、二酸化窒素ガス供給手段４と、制御系５とで構成される。
【００２２】
緑化装置本体１ａは、正面側となる片面に植物４０が植えられる土壌層等の植物生育基盤１１と、この植物生育基盤１１の裏面側となる他の片面に沿って設けられた通気層１２とを有する。植物生育基盤１１および通気層１２は、表裏方向の厚みが薄く正面側が開口した箱状の装置躯体１３の内部に設けられている。植物生育基盤１１は、装置躯体１３内の正面側の位置に配置され、前記片面に植物４０が植えられる。通気層１２は、装置躯体１３の裏面板部１３ａと植物育成基盤１１との間に形成されている。植物生育基盤１１と通気層１２との間には、メッシュ材等の通気性部材１５が介在させてある。また、植物生育基盤１１の植物４０が植えられる片面は、前記通気性部材１５と同様の別の通気性部材１６で覆われている。
【００２３】
前記植物生育基盤１１としては、通気性のある軽量土壌が用いられる。具体的には、自然土壌の他に、バーク堆肥等の有機系土壌改良材、或いはパーライト等の無機系土壌改良材等の様々な一般に流通する資材を適宜組み合わせたものを用いる。また、活性炭等の多孔性物質が土壌中に含まれていてもよい。これらの土壌材からなる植物生育基盤１１には、アンモニア酸化細菌、亜硝酸酸化細菌等の好気性微生物が棲息する。
【００２４】
前記灌水手段２は、植物生育基盤１１の上部に埋め込まれた灌水設備１７を備える。灌水設備１７は、例えば外周に複数の孔が開けられた管からなり、前記孔から水が出るタイプのものである。灌水設備１７は、給水管１８を介して図示しない給水源に接続されている。給水管１８の途中には、この給水管１８の管路を開閉する、電磁弁からなる給水弁１９が設けられている。
【００２５】
植物生育基盤１１の下面は通水性部材２０で支えられ、その下側に、植物生育基盤１１から落ちてくる余剰の水を受ける樋２１が設けられている。樋２１は、紙面と垂直な方向に傾斜しており、受けた水を傾斜の下位側へ案内して装置躯体１３の外に排出するようになっている。
【００２６】
前記送風手段３は、装置躯体１３の外部に設置したファン２２と、このファン２２と装置躯体１３内の通気層１２とを連通するダクト２３とで構成される。ダクト２３中には、ファン２２から通気層１２への方向のみ空気の流通が可能な逆止弁２４が設けられている。図の例では、ダクト２３が通気層１２の裏面に連結されているが、ダクト２３は通気層１２の側端面や上下端面に連結させてもよい。モータ２２ａでファン２２を回転駆動することにより、空気吸込み口２２ｂから空気を吸い込み、その吸い込んだ空気がダクト２３および通気層１２を通って植物生育基盤１１に裏面側から送り込まれる。空気が植物生育基盤１１を通過する過程で浄化され、浄化後の清浄な空気が植物生育基盤１１の正面側から排出される。ダクト２３、通気層１２、および植物生育基盤１１は、浄化のために空気が通る空気浄化経路である。
【００２７】
前記二酸化窒素ガス供給手段４は、追肥のために植物生育基盤１１に二酸化窒素ガス（ＮＯ２）を供給する手段であり、二酸化窒素を充填した二酸化窒素ボンベ２５と、この二酸化窒素ボンベ２５と前記ダクト２３の中途部との間に介在する調圧器２６とで構成される。調圧器２６が接続されるダクト２３の箇所は、前記逆止弁２４よりも下流側である。調圧器２６は、二酸化窒素ボンベ２５から吐出される二酸化窒素ガスの圧力を調節することで、ダクト２３を通る空気への二酸化窒素ガスの混合量を変える。ダクト２３内に供給された二酸化窒素ガスは、空気と共に植物生育基盤１１に送られる。つまり、空気浄化経路の一部が、二酸化窒素ガスの流通経路に兼用されている。これにより、空気のダクトと二酸化窒素ガスのダクトとを完全に分ける場合と比べて、ダクトや配管を少なくできる。
【００２８】
前記制御系５は、制御装置３０、および以下の各センサ類３２〜３４等で構成される。硝酸態窒素濃度センサ３２は、植物生育基盤１１中の硝酸態窒素（ＮＯ３-）の濃度を検出する。なお、硝酸態窒素（ＮＯ３-）の濃度を直接に検出する硝酸態窒素濃度センサ３２に代えて、ｐＨ計およびＥＣ計を用いても良い。ｐＨ計は、植物生育基盤１１のｐＨ値を計測する。ＥＣ計は、植物生育基盤１１の導電率（ＥＣ）を計測する。これらｐＨ計およびＥＣ計は、両者で植物生育基盤１１中の硝酸態窒素（ＮＯ３-）の濃度を検出する硝酸態窒素濃度センサを成す。水分量センサ３３は、植物生育基盤１１の水分量を検出する。二酸化窒素濃度センサ３４は、植物生育基盤１１から排出される空気に含まれる二酸化窒素ガス（ＮＯ２）の濃度を検出する。なお、図１では各センサ類３２〜３４の位置を便宜的に示しているにすぎず、各センサ類３２〜３４は適正な数だけ、適正な場所に設ければよい。
【００２９】
制御装置３０は、コンピュータハードウェアと、これに実行されるプログラムとで構成され、またはさらに電子回路を加えて構成され、二酸化窒素ガス供給手段４を制御する二酸化窒素ガス制御手段３０ａと、灌水手段２を制御する灌水制御手段３０ｂとを有する。制御装置３０は、上記各センサ類３１〜３４の検出信号を受け、それに応じて各制御手段３０ａ，３０ｂが前記調圧器２６および給水弁１９にそれぞれ制御信号を出力する。制御手段３０は、例えば図２のフローチャートに示す制御を行う。制御内容については後で説明する。
【００３０】
図３は、植物生育基盤１１における窒素成分の分解のメカニズムを示す図である。
第１段階で、予め植物生育基盤１１に混ぜ込まれている有機態窒素（Ｏｒｇａｎｉｃ−Ｎ）からアンモニア態窒素（ＮＨ４＋）が生成される。第２段階で、アンモニア酸化細菌による酸化により、アンモニア態窒素（ＮＨ４＋）が亜硝酸態窒素（ＮＯ２-）に変換される。この変換は進み難く、土壌質によってはほとんど進まないことがある。第３段階で、自己酸化と亜硝酸酸化細菌による酸化とにより、亜硝酸態窒素（ＮＯ２-）が硝酸態窒素（ＮＯ３-）に変換される。この変換は進み易い。このように変換された硝酸態窒素（ＮＯ３-）を、植物４０が吸収する。
【００３１】
また、この緑化装置１では、二酸化窒素ガス供給手段４により、植物生育基盤１１に追肥としての二酸化窒素ガス（ＮＯ２）を供給する。二酸化窒素ガス（ＮＯ２）は、植物生育基盤１１に含まれる水分に溶解して亜硝酸態窒素（ＮＯ２-）となり、さらに前記同様に、自己酸化と亜硝酸酸化細菌による酸化とにより、硝酸態窒素（ＮＯ３-）に変換される。
【００３２】
このように、この緑化装置１では、植物生育基盤１１に二酸化窒素ガス（ＮＯ２）を供給して追肥するため、変換の進み難い第２段階を経ずに、植物４０が吸収可能な硝酸態窒素（ＮＯ３-）に短時間で変換される。このため、施肥の効果がすぐに現れる。また、窒素成分をガス体で供給するため、植物生育基盤１１の各部に均等に行き渡らせることができ、施肥の均一化を図ることができる。特に、この実施形態は、植物生育基盤１１の植物４０が植えられる面と反対側の面に沿って通気層１２が設けられているため、植物生育基盤１１の各部に二酸化窒素ガスを均等に送り込むことができ、植物生育基盤１１の上部と下部とで肥料成分が不均一にならない。つまり、植物生育基盤１１の各部で植物４０の生育条件を同じにすることができる。
【００３３】
比較のため、図４に一般的な施肥方法における窒素肥料の分解のメカニズムを示す。一般的な施肥方法では、図示のように、化成肥料等のような工業的窒素固定されたものや、根粒菌等により共生的窒素固定されたものの状態で窒素成分が土壌に与えられる。いずれの場合も、土壌中でアンモニア態窒素（ＮＨ４＋）になる。そのため、植物４０が吸収可能な硝酸態窒素（ＮＯ３-）に変換されるまでに、変換の進み難い第２段階を経なければならず、施肥を行っても効果が出るまでに時間がかかる。また、硝酸態窒素（ＮＯ３-）に変換されるまでの間に窒素成分が水とともに流亡してしまう可能性がある。
【００３４】
この緑化装置１は、以下の点を考慮して、二酸化窒素ガス（ＮＯ２）による施肥としている。
・植物４０が吸収する形態の窒素成分である硝酸態窒素（ＮＯ３-）で施肥すると、植物生育基盤１１への吸着力が弱いため、灌水によって流亡する割合が高い。
・アンモニア態窒素（ＮＨ４＋）や有機体窒素（Ｏｒｇａｎｉｃ−Ｎ）は、植物生育基盤１１での残留性が高く、灌水で流亡することは少ないが、植物４０が利用できる硝酸態窒素（ＮＯ３-）に変換されるまでのステップが進み難いため、窒素供給量をコントロールし難い。
・亜硝酸態窒素（ＮＯ２-）は植物４０が利用できる硝酸態窒素（ＮＯ３-）まで変換され易いため、植物４０への窒素供給量をコントロールし易い。
・二酸化窒素ガス（ＮＯ２）は、植物生育基盤１１に含まれる水分に溶解して亜硝酸態窒素（ＮＯ２-）になる。
【００３５】
植物生育基盤１１が植物４０の生育に最適な環境に維持されるように、制御手段３０は、図２のフローチャートに示す制御を行う。
【００３６】
すなわち、所定の測定開始時間になると（ステップ１）、植物生育基盤１１の硝酸態窒素（ＮＯ３-）の濃度が設定値未満であるか否かを、硝酸態窒素濃度センサ３２の測定値で判定する（ステップ２）。この実施形態では、硝酸態窒素センサ３２から、硝酸態窒素（ＮＯ３-）の濃度を推定し、その推定した硝酸態窒素（ＮＯ３-）の濃度に基づいて判定を行う。硝酸態窒素（ＮＯ３-）の濃度が設定値未満である場合は、水分量センサ３３の検出値から、植物生育基盤１１中の水分量が設定値以上であるか否かを判定する（ステップ３）。そして、水分量が設定値以上である場合は、二酸化窒素ガス制御手段３０ａが調圧器２６に出力信号を出して、二酸化窒素ガス供給手段４による二酸化窒素ガス（ＮＯ２）の供給を開始する（ステップ４）。設定値未満である場合は、灌水制御手段３０ｂが給水弁１９に出力信号を出して、灌水手段２による灌水を設定時間だけ実施する（ステップ５）。
【００３７】
つまり、硝酸態窒素（ＮＯ３-）の濃度が設定値未満で、かつ水分量が設定値以上である場合は、硝酸態窒素（ＮＯ３-）が不足していると判断して、二酸化窒素ガス（ＮＯ２）を供給するのである。また、硝酸態窒素（ＮＯ３-）の濃度が設定値未満で、かつ水分量が設定値未満である場合は、水分不足が原因で二酸化窒素ガス（ＮＯ２）を供給しても、亜硝酸態窒素（ＮＯ２-）から硝酸態窒素（ＮＯ３-）への変換が進まないと判断して、灌水を行うのである。
【００３８】
二酸化窒素ガス（ＮＯ２）の供給を開始後、二酸化窒素濃度センサ３４の検出値から、二酸化窒素ガス（ＮＯ２）の濃度が設定値未満であるが否かを判定する（ステップ６）。そして、設定値未満である場合は、二酸化窒素ガス（ＮＯ２）の供給を継続し、設定値以上である場合は、二酸化窒素ガス（ＮＯ２）の供給を停止する（ステップ７）。
二酸化窒素ガス（ＮＯ２）は人体に有害であり、また植物４０に対しても生育障害があることが知られている。そこで、植物生育基盤１１を通過した二酸化窒素ガス（ＮＯ２）の濃度をモニタリングし、必要以上の濃度であれば供給を停止するのである。
【００３９】
このように制御することにより、植物生育基盤１１中の硝酸態窒素（ＮＯ３-）の濃度および水分量を適正に維持することができる。また、植物生育基盤１１から排出される空気に含まれる二酸化窒素（ＮＯ２）の濃度を、植物４０や人体に害とならない数値以下に維持することができる。なお、この制御例では、一定時間ごとに各センサ類３２〜３４の検出値を読み取って制御を行うようにしているが、常時各センサ類３２〜３４の検出値を監視して制御を行ってもよい。
【００４０】
この実施形態の緑化装置１は壁面緑化空気浄化装置であり、主に植物４０の葉の生育に必要な窒素成分の施肥が必要であるため、二酸化窒素ガス（ＮＯ２）の供給により窒素成分を施肥することが有効である。他の肥料成分、すなわちリン酸およびカリウムについては、過剰施肥による影響が出にくいので、植物４０の栽培開始時に植物生育基盤１１に混ぜ込んでおくことで対応できる。
【符号の説明】
【００４１】
１…緑化装置
２…灌水手段
４…二酸化窒素ガス供給手段
１１…植物生育基盤（空気浄化経路）
１２…通気層（空気浄化経路）
２３…ダクト（空気浄化経路）
３０ａ…二酸化窒素ガス制御手段
３０ｂ…灌水制御手段
３２…硝酸態窒素濃度センサ
３３…水分量センサ
３４…二酸化窒素濃度センサ
【図１】
2016189742.tif 000003
【図２】
2016189742.tif 000004
【図３】
2016189742.tif 000005
【図４】
2016189742.tif 000006